(57)【要約】【課題】従来のバターの一般的な保存・塗布の方法は、容器に入れ冷蔵庫に保存し、バターナイフで目的のものに塗布します図６。これによれば、冷蔵庫に保存にされているバターは、一般に、大変硬く、特に、柔らかいものに塗布する場合は、大変難しい状況になります。また、所謂、スティック糊タイプの物も考えられているようですが、バターの最後部まで使い切るのが難しく、諸処問題があります。【解決手段】本発明品では、上記課題を全て解決し、市販されているバターを、何らの加工や変形を加えることなく、手軽に、挿入し、保存することができます。バターを使う時は、その必要な量だけを、自由に、押し出し、塗布したり、カットしたり、バターの再収納も簡単です。また、手軽に分解し、隅々までの掃除と洗浄が可能です。【選択図】  図３
2004284672.tif 000002
【特許請求の範囲】
【請求項１】
外枠部図１の中に、押え板部図２のばね板▲６▼を海老の尾のように曲げて挿入し、突起▲７▼を突起止めの穴▲３▼に引っ掛けた構造を持つことを特徴とするバターの塗布・保存箱図３。
【請求項２】
バターの塗布・保存箱図３において、外枠▲１▼の開口部のキャップを付けた、また、ばね板▲６▼の代わりにスプリングを用いた、さらに、ばね板▲６▼や突起▲７▼、突起止めの穴▲３▼を装備せずバターを押える板▲４▼の突起▲７▼の所に蝶番状のものを用いた請求項１記載のバターの塗布・保存箱図３。
【請求項３】
バターの塗布・保存箱図３は、突起止めの穴▲３▼を支点とするばね板▲６▼の弾性によって外枠▲１▼の内部に確保される中空部に、市販のバターを、何らの加工や変形を加えることなく、そのままの形で、収納し、保存ができる。このことを特徴とする請求項１記載のバターの塗布・保存箱図３。
【請求項４】
バターの塗布・保存箱図３は、突起止めの穴▲３▼を支点とするばね板▲６▼の弾性によって外枠▲１▼の内部に中空部が確保される。この中空部に収納されたバターを、バター押し出し用取っ手▲５▼をスライドさせることによって、必要な量だけを、自在に取り出すことができます。このことを特徴とする請求項１記載のバターの塗布・保存箱図３。
【請求項５】
バターの塗布・保存箱図３は、収納されたバターを、バターを押える板▲４▼と外枠▲１▼で挟み、しっかりと保持することができます。従って、バターを塗布したり、カットしたりしている最中に、バターが滑って作業を一時中断せざるを得ないという状況には決してなりません。このことを特徴とする請求項１記載のバターの塗布・保存箱図３。
【請求項６】
バターの塗布・保存箱図３は、請求項４と請求項５記載の特長によって、収納されたバターを、全く手を汚すことなく、自在に、押し出し、保持し、塗布したり、カットしたりすることができるだけでなく、簡単に、収納したバターを取り出したり、交換したり、再収納したりもすることができます。このことを特徴とする請求項３記載のバターの塗布・保存箱図３。
【請求項７】
バターの塗布・保存箱図３は、外枠部図１と押え板部図２に完全に分離できる。従って、分解、洗浄するときに大変しやすく、大変、衛生的である。このことを特徴とする請求項１記載のバターの塗布・保存箱図３。
【発明の詳細な説明】
【０００１】
【発明の属する技術分野】
この発明は、市販のバターに、何らの加工や変形を加えることなく、そのままの形で、それを収納、保存することができ、同時に、焼きたてのパンなどにスムーズにも塗布することができるバターの保存・塗布容器の形状に関する。
【０００２】
【従来の技術】
従来のバターの一般的な保存・塗布の方法は、
（１）、容器に入れ冷蔵庫に保存しバターナイフで目的のものに塗布します図６。
（２）、また、市販されてはいないようだが、バターを押し出すタイプの容器、所謂、スティック糊のタイプのバター容器も考えられているようです。
などがある。
【０００３】
【発明が解決しようとする課題】
しかしながら、以上の従来技術、上記（１）によれば、冷蔵庫に保存にされているバターは一般に大変硬く、特に、柔らかいもの、例えば、焼きたてのパンなどに塗布する場合は、大変難しい状況になります。そのためバターを冷蔵庫の外に出して保存している人もいるが、これでは、特に夏期において、衛生面での問題が生じます。この点を改善するため、従来技術、上記（２）も考えられているが、このタイプの容器では、一般に、バターの最後の端の部分まで、使い切る、塗り切ることが難しく、収納されているバターを新しい物と交換する際にも難があります。また、このタイプの容器は、その内部まで、簡単には洗浄することができません。これでは衛生面でも問題が生じます。また、このタイプの容器は、市販のバターに、何らかの加工や変形を加えるものが多く、料理の最中に、何かの理由でバターを元の形のまま利用する必要が生じた場合には、逆に不都合が生じます。また、女性の口紅のようにバターを回転して押し出すタイプの容器も考えられていますが、このタイプの容器では、上記のほかに、予め、バターを、従来の直方体ではなく、円柱形に作っておく必要があります。それはメーカーにおいて、予め、生産工程自身を変えておかねばならず、膨大な設備投資が必要となります。いずれにしろ、実際に使う立場の側からも、経済面からも、旧来の技術では問題があります。そこで、この発明は、上記の問題点を解決し、市販のバターに、何らの加工や変形を加えることなく、そのままの形で、収納、保存し、収納されたバターを簡単に交換することもでき、その必要量を、焼きたてのパンなどに塗布したり、カットしたりすることもできるバターの塗布・保存箱図３を提供することを課題とする。
【０００４】
【課題を解決するための手段】
以上の課題を解決するために、
請求項１の発明は、
外枠部図１の中に、押え板部図２のばね板▲６▼を海老の尾のように曲げて挿入し、突起▲７▼を突起止めの穴▲３▼に引っ掛けた構造を持つことを特徴とするバターの塗布・保存箱図３である。
また、請求項２の発明は、
バターの塗布・保存箱図３において、外枠▲１▼の開口部のキャップを付けた、また、ばね板▲６▼の代わりにスプリングを用いた、さらに、ばね板▲６▼や突起▲７▼、突起止めの穴▲３▼を装備せずバターを押える板▲４▼の突起▲７▼の所に蝶番状のものを用いた請求項１記載のバターの塗布・保存箱図３である。
また、請求項３の発明は、
バターの塗布・保存箱図３は、突起止めの穴▲３▼を支点とするばね板▲６▼の弾性によって外枠▲１▼の内部に確保される中空部に、市販のバターを、何らの加工や変形を加えることなく、そのままの形で、収納し、保存ができる。このことを特徴とする請求項１記載のバターの塗布・保存箱図３である。
また、請求項４の発明は、
バターの塗布・保存箱図３は、突起止めの穴▲３▼を支点とするばね板▲６▼の弾性によって外枠▲１▼の内部に中空部が確保される。この中空部に収納されたバターを、バター押し出し用取っ手▲５▼をスライドさせることによって、必要な量だけを、自在に取り出すことができます。このことを特徴とする請求項１記載のバターの塗布・保存箱図３である。
また、請求項５の発明は、
バターの塗布・保存箱図３は、収納されたバターを、バターを押える板▲４▼と外枠▲１▼で挟み、しっかりと保持することができます。従って、バターを塗布したり、カットしたりしている最中に、バターが滑って作業を一時中断せざるを得ないという状況には決してなりません。このことを特徴とする請求項１記載のバターの塗布・保存箱図３である。
また、請求項６の発明は、
バターの塗布・保存箱図３は、請求項４と請求項５記載の特長によって、収納されたバターを、全く手を汚すことなく、自在に、押し出し、保持し、塗布したり、カットしたりすることができるだけでなく、簡単に、収納したバターを取り出したり、交換したり、再収納したりもすることができます。このことを特徴とする請求項１記載のバターの塗布・保存箱図３である。
また、請求項７の発明は、
バターの塗布・保存箱図３は、外枠部図１と押え板部図２に完全に分離できる。従って、分解、洗浄するときに大変しやすく、大変、衛生的である。このことを特徴とする請求項１記載のバターの塗布・保存箱図３である。
【０００５】
【発明の実施の形態】
本発明の一実施形態を図３に示します。
（１）、本発明品の材質
試作品では、ばね板▲６▼以外は、全体を板で作りましたが、ある程度の硬度を有する食品衛生上問題のないものであれば十分です。特に、バターを押える板▲４▼はある程度の硬さが必要です。ばね板▲６▼は、試作品では、塩化ビニールを用いましたが、弾性のある薄い板で、食品衛生上問題のないものであれば代用が可能です。また、スプリングでも代用できます。さらに、ばね板▲６▼を使わずに突起▲７▼、突起止めの穴▲３▼の代わりに蝶番状のものを用いても良い。
（２）、本発明品の使い方と構造
図１の外枠部に、図２の押え板部を挿入します。そのとき、ばね板▲４▼は海老の尻尾のように押し曲げた状態にして外枠▲１▼に挿入します。その際、バターを押える板▲４▼の上に出ている２つの突起▲７▼を、外枠▲１▼に空けられた突起止めの穴▲３▼に引っ掛けることによって、押え板部図２全体が、ばね板▲４▼の弾性によって、外枠▲１▼の外へ飛び出してしまうのを防止します。こうしてできた本発明の全体の様子がバターの塗布・保存箱図３です。その正面図が図４で、側面図が図５です。本発明品では、ばね板▲６▼の弾性によって、バターを押える板▲４▼が、外枠▲１▼の内側から押し付けられ、外枠▲１▼の内側に、バターを収納する空間が自ずと確保されます。この部分に、市販されているバターを、何らの加工や変形を加えることなく、そのままの挿入し、保存することができます。バターを使用するさいには、その必要な量だけを、バター押し出し用取っ手▲５▼をスライドさせることによって、押し出し、焼きたてのパンなどに塗布したり、カットしたりすることができます。この際、外枠▲１▼の長円形の穴▲２▼の部分よりバターを押える板▲４▼を押さえながら、外枠▲１▼を持つことによって、収納したバターがしっかり保持されるので、バターを塗布したり、カットしたりしている最中に、バターが動いたりしまったりすることが全くありません。よりスムーズな作業が実現できます。収納したバターを、簡単に取り出すこともできます。また、市販されているバターは銀紙または紙で包まれおり、この状態のまま本発明品にバターを収納し使用した場合は、全ての作業が終わった段階で、本発明品を垂直に立てるだけで、収納したバターは、その自重で自然と容器の中に戻ります。もちろん、この間、全く手を汚すことはありません。本発明の容器は、バターの保存する機能も持つと同時に自由に塗付する機能も持つのです。また、本容器は、外枠▲１▼とバターを押える板▲４▼の部分が完全に分離しますので、本容器の掃除と洗浄が、隅々まで可能であり、容易です。大変衛生的といえます。さらに、外枠▲１▼の開口部の蓋を別途用意すると、この容器は、より衛生的な保存容器にもなります。
【０００６】
「実施形態の効果」
この実施形態によれば、上記発明の実施の形態で述べたように、上記発明が解決しようとする課題が全て解決され、バターの保存と塗布、交換、掃除が、より容易となます。
【０００７】
「他の実施形態」
図３の実施形態では、ばね板▲６▼を用いているが、代わりにスプリングを用いた物、また、ばね板▲６▼を使わずに突起▲７▼、突起止めの穴▲３▼の代わりに蝶番状のものを用いた物でも良い。むしろ、これら採用した方が、ばね板▲６▼の湾曲する部分が不用となり、外枠部図１全体の長さをより短くでき、装置全体がよりコンパクトになります。また、外枠▲１▼の開口部にキャップ、蓋を付けても良い。こうすることによってバターの保存がより衛生的なものとなります。
【０００８】
【発明の効果】
以上説明したように、本発明品を使用することによって、従来のバターの塗布と保存における問題点（発明が解決しようとする課題記載）がすべて改善され、より簡単に、バターを塗布したり、カットしたり、取り出したり、よりスムーズな作業が可能となります。また、バターを直接に包んでいる銀紙または紙をつけたまま、バターを本発明品に入れて使っている場合は、作業が終わった段階で、本発明品を垂直に立てるだけでバターは、その自重によって、自然と容器の中に戻ります。もちろん、この間、全く手を汚すことがありません。本発明は、バターの保存容器であると、同時に塗付容器でもあるのです。また、本発明の容器は、外枠▲１▼とバターを押える板▲４▼の部分が完全に分離しますので、容器の隅々までの掃除と洗浄が容易であり、大変、衛生的といえます。外枠▲１▼の開口部の蓋を別途に用意すると、この容器は、より衛生的な保存容器にもなります。
【図面の簡単な説明】
【図１】外枠部の斜視図
バターの塗布・保存箱図３の外枠▲１▼
【図２】押え板部の斜視図
バターの塗布・保存箱図３のバターを押える板▲４▼、バター押し出し用取っ手▲５▼、ばね板▲６▼、突起▲７▼
【図３】全体図の斜視図
バターの塗布・保存箱図３の全体図
【図４】正面図
バターの塗布・保存箱図３の正面図
【図５】側面図
バターの塗布・保存箱図３の側面図
【図６】斜視図
旧来技術
【符号の説明】、
▲１▼  バターの塗布・保存箱図３の外枠
試作品では、アクリル板で作りました。
▲２▼  バターの塗布・保存箱図３の外枠▲１▼にあけた長円形の穴
▲３▼  バターの塗布・保存箱図３にあけた突起止めの穴
この部分に２つの突起▲７▼を引っ掛け、押える板部図２がばね板の弾性によって、外へ飛び出してしまうのを防止します。
▲４▼  バターを押える板
ある程度硬度のある板で作る必要があります。試作品では厚さ３ｍｍのアクリル板で作りました。中央の部分には、バター押し出し用取っ手▲５▼を、自由に移動するための、細長い溝がある。
▲５▼  バター押し出し用取っ手
ある程度硬さのある板であることが必要。試作品ではアクリル板で作りました。▲６▼  ばね板
バターを押える板の後部に付けた弾性のある薄い板、試作品では薄い塩化ビニールの板で作った。
▲７▼  突起。これを外枠▲１▼にあけた突起止めの穴▲３▼を引っ掛けて、押え板部図２が、外枠▲１▼の外へ飛び出してしまうのを防止します。
【図１】
2004284672.tif 000003
【図２】
2004284672.tif 000004
【図３】
2004284672.tif 000005
【図４】
2004284672.tif 000006
【図５】
2004284672.tif 000007
【図６】
2004284672.tif 000008